(57)【要約】【課題】目覚めが楽しくなるような娯楽性の高い動画データを、パーソナルコンピューター又は携帯電話の表示画面とスピーカーで、設定された時間に再生することが可能な目覚まし動画設定システムを提供する。【解決手段】インターネットに接続可能で、且つ、データ書き換え可能な記憶媒体を備えたパーソナルコンピューター及び携帯電話用にそれぞれ、その記憶媒体に記憶された所定のファイル形式の目覚まし動画データを、設定された時間に再生することが可能なプログラムソフトウェアを提供し、並びに、最低１以上のデジタル圧縮動画を含む目覚まし動画データをインターネットを利用してダウンロードできる目覚まし動画提供サーバーを提供する。【選択図】図４
2005121598.tif 000002
【特許請求の範囲】
【請求項１】
インターネットに接続可能で、且つ、データ書き換え可能な記憶媒体を備えると共に、その記憶媒体に記憶された所定のファイル形式の目覚まし動画データを、設定された時間に再生することが可能なパーソナルコンピューター又は携帯電話と、インターネットを利用して所定の前記目覚まし動画データのダウンロードサービスを提供する目覚まし動画データ提供サーバを備えることを特徴とする目覚まし動画設定システム。
【請求項２】
前記、設定された時間に目覚まし動画を再生するシステムは、パーソナルコンピューター及び携帯電話向けにそれぞれ開発したプログラムソフトウェアであり、使用者が予め設定した時間に機器の電源が入り、デジタル圧縮動画再生プレーヤーが起動し、パーソナルコンピューター又は携帯電話の表示画面及びスピーカーで目覚まし動画データを再生するもの、並びに、特定のスイッチにより再生停止、若しくは別の動画データを再生するものである。
【請求項３】
前記、目覚まし動画データはデジタル圧縮された動画データを使用し、最低１以上のデジタル圧縮動画を含むデータファイルである。
【発明の詳細な説明】
【技術分野】
【０００１】
本発明は、目覚まし動画データを提供するサーバからインターネットを介して任意の目覚まし動画データをダウンロードし、そのデータをパーソナルコンピューター又は携帯電話の表示画面及びスピーカーで、設定された時間に再生することが可能な目覚まし動画設定システム、並びに、所定の目覚まし動画データをダウンロードできる目覚まし動画データ提供サーバに関するものである。
【背景技術】
【０００２】
従来の目覚ましシステムは、アナログ時計やデジタル時計の表示画面があり、ベルやアラーム音で目覚めを促すものが主流である。
【発明の開示】
【発明が解決しようとする課題】
【０００３】
しかしながら、前記目覚ましシステムは、人間の聴覚だけを刺激し目覚めを促すものであり視覚効果に乏しく、人間の聴覚と視覚の両方から目覚めを喚起させ、且つ、毎日の目覚めが楽しくなるような娯楽性の高い目覚ましシステムはなかった。
そこで本発明は、目覚めが楽しくなるような娯楽性の高い動画データを、パーソナルコンピューター又は携帯電話の表示画面とスピーカーで、設定された時間に再生することが可能な目覚まし動画設定システムを提供することを課題とする。
【課題を解決するための手段】
【０００４】
本発明を達成するために、インターネットに接続可能で、且つ、データ書き換え可能な記憶媒体を備えたパーソナルコンピューター及び携帯電話用にそれぞれ、その記憶媒体に記憶された所定のファイル形式の目覚まし動画データを、設定された時間に再生することが可能なプログラムソフトウェアを提供し、並びに、最低１以上のデジタル圧縮動画を含む目覚まし動画データをインターネットを利用してダウンロードできる目覚まし動画提供サーバーを提供する。
【発明の効果】
【０００５】
本発明の目覚まし動画設定システムは、パーソナルコンピューター又は携帯電話で、使用者が予め設定した時間に目覚まし動画データを再生できるので、音と映像から使用者の目覚めを喚起させることができ、且つ、インターネットを利用して目覚まし動画データ提供サーバから様々の目覚まし動画データを簡易にダウンロードし、その目覚まし動画データをパーソナルコンピューターや携帯電話の記憶媒体に追加できるので、飽きることがなく使用者の興趣の向上を期待できる。
【発明を実施するための最良の形態】
【０００６】
以下、本発明の実施の形態を図面に基づいて説明する。図１は、本発明に係る目覚まし動画設定システムの構成を示すブロック図である。目覚まし動画設定システムは、インターネットに接続可能で、且つ、データ書き換え可能な記憶媒体を備えたパーソナルコンピューター又は携帯電話１と、前記パーソナルコンピューター及び携帯電話向けにそれぞれ開発した、設定された時間に電源が入り、デジタル圧縮動画再生プレーヤーが起動し、任意の目覚まし動画を再生することが可能なプログラムソフトウェア２と、目覚まし動画データ提供サーバ４から構成され、前記パーソナルコンピューター又は携帯電話１からインターネット３を介して、前記目覚まし動画データ提供サーバー４に接続し、データ書き換え可能な記憶媒体に目覚まし動画データをダウンロードし、設定された時間に任意の目覚まし動画を再生することが可能なプログラムソフトウェア２を使い、パーソナルコンピューター又は携帯画面の表示画面に動画を再生するシステムである。
【０００７】
図２は、パーソナルコンピューター又は携帯電話から、インターネットを介して目覚まし動画データ提供サーバに接続し、目覚まし動画データをダウンロードする時のフローチャートである。まず図２に示すようにステップＳ１に移行し、パーソナルコンピューター又は携帯電話のブラウザソフトにより目覚まし動画データ提供サーバを開設するＷｅｂサイトのＵＲＬ（Uniform Resource Locator）を指定しサイトへの接続を実行する。次にステップＳ２に移行し、Ｗｅｂサイト内に表示されている目覚まし動画データのリストからダウンロードしたいデータを選択してステップＳ３に移行する。ステップＳ３では、選択したデータのダウンロードを実行してステップＳ４に移行する。ステップＳ４では、目覚まし動画データのダウンロードサービスを終了するか否かを決定し、終了する場合は「Yes」、そうでない場合「No」はステップＳ２に戻り、他の目覚まし動画データを選択しダウンロードを実行することができる。
【０００８】
図３は、パーソナルコンピューター及び携帯電話向けにそれぞれ開発した、設定された時間に目覚まし動画を再生するプログラムソフトウェアの設定画面である。（Ａ）は起床月日の設定画面、（Ｂ）は起床時間と目覚まし動画データの選択画面である。従来の目覚まし時計は翌日の起床時間の設定しか出来なかったが、本システムでは数日先や数ヶ月先の起床時間の設定も可能であり、画面（Ａ）から起床月日を選択し、画面（Ｂ）で起床時間の設定と目覚まし動画データの選択をする。なお、画面（Ｂ）で目覚まし動画データの選択が出来るので、目覚まし動画データを追加することにより、日々異なった目覚まし動画データを再生することが可能である。
【０００９】
図４は、目覚まし動画データの再生画面の一例である。目覚まし動画データはデジタル圧縮された動画データを使用した最低１以上のデジタル圧縮動画を含むデータファイルであり、使用者が予め設定した時間にパーソナルコンピューター又は携帯電話の表示画面に（Ｃ）のように目覚まし動画データを再生する。そして、パーソナルコンピューター又は携帯電話の特定のスイッチを２秒以上長く押すことにより、再生を停止する、並びに、その特定のスイッチを２秒未満短く押すことにより延長モードになり、一旦再生を停止した５分後又は予め設定した任意の時間後に再び画面（Ｃ）のように目覚まし動画データを再生するシステムを基本とする。更に拡張機能として、パーソナルコンピューター又は携帯電話の特定のスイッチを２秒以上長く押した後、画面（Ｄ）のような動画を再生できる動画データ、また、パーソナルコンピューター又は携帯電話の特定のスイッチを２秒未満短く押した後、画面（Ｅ）のような動画を再生できる動画データを含む目覚まし動画データを提供できるものとする。
【図面の簡単な説明】
【００１０】
【図１】目覚まし動画設定システムの構成を示すブロック図である。
【図２】目覚まし動画データのダウンロード処理を示すフローチャートである。
【図３】設定された時間に目覚まし動画を再生するプログラムソフトウェアの設定画面である。（Ａ）は起床月日の設定画面、（Ｂ）は起床時間の設定と目覚まし動画データの選択画面。
【図４】目覚まし動画データの再生画面の一例である。（Ｃ）は起床時間に再生される画面、（Ｄ）はパーソナルコンピューター又は携帯電話の特定のスイッチを２秒以上長く押した後に再生される画面、（Ｅ）はパーソナルコンピューター又は携帯電話の特定のスイッチを２秒未満短く押した後に再生される画面。
【符号の説明】
【００１１】
１    パーソナルコンピューター又は携帯電話
２    設定された時間に任意の目覚まし動画を再生することが可能なプログラムソフトウェア
３    インターネット網
４    目覚まし動画データ提供サーバ
【図１】
2005121598.tif 000003
【図２】
2005121598.tif 000004
【図３】
2005121598.tif 000005
【図４】
2005121598.tif 000006